(57)【要約】【課題】ミツバチの外部寄生害虫であるミツバチヘギイタダニ等のダニを駆除する駆除剤の試験に用いる装置及び試験される駆除剤を塗布するダニ駆除部材を提供する。【解決手段】上面が開口して蓋２ａを備え少なくとも底部が網２ｃとなっている飼育カゴ２と、上端は封がされ下端に給餌孔を備え前記蓋２ａに穿設された挿通孔に挿通、係止され内部にミツバチの餌を溜める給餌管３と、前記飼育カゴ２を載置するためのトレー４と、前記飼育カゴ２内に吊るされ試験される駆除剤５を染み込ませた駆除部材と、からなることを特徴とする。【選択図】図１
2012024097.tif 000002
【特許請求の範囲】
【請求項１】
上面が開口して蓋を備え少なくとも底部が網である飼育カゴと、上端は封がされ下端に給餌孔を備え前記蓋に穿設された挿通孔に挿通し係止され、内部にミツバチの餌を溜める給餌管と、前記飼育カゴを載置するためのトレーと、前記飼育カゴ内に吊るし試験される駆除剤を染み込ませた駆除部材とからなることを特徴とするダニ駆除剤試験装置。
【請求項２】
前記駆除材が、木質材であることを特徴とする請求項１に記載のダニ駆除剤試験装置。
【請求項３】
前記駆除部材を、蜜蝋とパラフィンからなる混合物を染み込ませ、表面に試験されるダニ駆除剤を塗布した木片としたことを特徴とする請求項１に記載のダニ駆除剤試験装置。
【請求項４】
前記給餌管を、上端に拡張部を形成するとともに封がされ、他端である下端に水平から上方向に開口した給餌孔を備え、前記蓋に穿設された挿通孔に挿通されるとともに前記拡張部で前記蓋に係止され、内部にミツバチの餌を溜める給餌管としたことを特徴とする請求項１〜請求項３の何れか１項に記載のダニ駆除剤試験装置。
【請求項５】
ダニ駆除剤の有効試験に用いられる駆除部材であって、木片に蜜蝋とパラフィンからなる混合物を染み込ませ、試験されるダニ駆除剤を塗布し、乾燥させてなることを特徴とするダニ駆除部材。
【発明の詳細な説明】
【技術分野】
【０００１】
本発明は、ミツバチの外部寄生害虫であるミツバチヘギイタダニ等のダニを駆除する駆除剤の試験に用いる装置及び試験される駆除剤を塗布するダニ駆除部材に関する発明である。
【背景技術】
【０００２】
従来、ミツバチの外部寄生害虫であるミツバチヘギイタダニ駆除剤の試験には、塩化ビニールなどのプラスチック素材を使用（特許文献１）し、その表面に殺虫剤を塗布した駆除部材が多く市販されている。
【０００３】
しかしながら、上記のような塩化ビニール製のダニ駆除部材は腐敗しにくいため、使用後にみだりに山野に捨てることが出来ず、また、焼却処分をするにも塗布されている殺虫剤の残留物や塩化ビニールから悪臭が発生し、周辺住民へ悪影響を及ぼす恐れがあった。
【０００４】
そのため、使用後に腐敗処理や焼却処分をしても環境に悪影響を及ぼすことが無く、廃棄し易いダニ駆除部材が求められている。
【０００５】
また、上記ダニ駆除部材には次の条件を満たすことが求められている。即ち、（１）攻撃により針を失ったミツバチは死亡するためミツバチの攻撃性を刺激しないものであること、（２）巣箱内が３５度と高温であるため駆除薬剤の揮発物が一時に多く発生し充満しないこと、（３）前記駆除薬剤の揮発物が卵や幼虫に影響を及ぼさないこと、（４）薬剤との接触により殺ダニ効果があること、である。更に、現在では高価な外国製に頼っているため、廉価な国内製であることが求められている。
【先行技術文献】
【特許文献】
【０００６】
【特許文献１】特開２００６−１２４３７７号公報
【発明の概要】
【発明が解決しようとする課題】
【０００７】
そこで、本発明は、廃棄し易く、ミツバチの攻撃性を刺激せず、揮発物が一時に発生せず、卵や幼虫に影響を及ぼすことなく、ミツバチと接触するだけで試験されるダニ駆除剤がミツバチに移行するダニ駆除部材と、試験されるダニ駆除剤を実験・検証するためのダニ駆除剤試験装置を提供することを目的とするものである。
【課題を解決するための手段】
【０００８】
本発明は、上記の課題を解決するために、上面が開口して蓋２ａを備え少なくとも底部が網２ｃとなっている飼育カゴ２と、上端は封がされ下端に給餌孔３ｂを備え前記蓋２ａに穿設された挿通孔２ｂに挿通、係止され内部にミツバチの餌を溜める給餌管３と、前記飼育カゴ２を載置するためのトレー４と、前記飼育カゴ２内に吊るされる試験されるダニ駆除剤５ｅを染み込ませた駆除部材と、からなることを特徴とするダニ駆除剤試験装置の構成とした。また、前記駆除材が、木質材であることを特徴とするダニ駆除剤試験装置とした。さらに、前記駆除部材を、蜜蝋とパラフィンからなる混合物を染み込ませ、表面に試験されるダニ駆除剤を塗布した木片としたことを特徴とする前記ダニ駆除剤試験装置とした。加えて、前記給餌管を、上端に拡張部３ａを形成するとともに封がされ、他端である下端に水平から上方向に開口した給餌孔３ｂを備え、前記蓋２ａに穿設された挿通孔２ｂに挿通され、前記拡張部３ａで前記蓋２ａに係止され内部にミツバチの餌を溜める給餌管３としたことを特徴とする前記何れかに記載のダニ駆除剤試験装置とした。
【０００９】
また、ダニ駆除剤の有効試験に用いられる駆除部材であって、木片に蜜蝋とパラフィンからなる混合物を染み込ませ、試験されるダニ駆除剤を塗布し、乾燥させてなることを特徴とするダニ駆除部材の構成とした。
【発明の効果】
【００１０】
本発明で実験・検証された木片などの木質材であるダニ駆除部材は有機物であるため土中に埋めれば腐敗して土となり、焼却処理をしても悪臭を発生させるとがなく、容易に廃棄することができる。
【００１１】
また、本発明であるダニ駆除部材の内部には蜜蝋とパラフィンが染み込んでいるため、ダニ駆除剤は素材の表面に付着させるために必要な量（従来の２０〜３０％）に抑えることができ、また表面の塗布されたダニ駆除剤により駆除部材内部からの揮発物の発生が抑えられるため、高温時における巣箱内のミツバチへの影響を防止することができる。
【００１２】
更に、ダニ駆除部材内部に染み込ませた蜜蝋とパラフィンの混合物はミツバチの攻撃性を和らげるため、無駄にミツバチを殺すことなくミツバチのダニ駆除作業や新たなダニ駆除剤の実験・検証を行うことができる。
【００１３】
また、ダニ駆除剤試験装置で使用する給餌管により、２４時間後、４８時間後等の長時間に渡る室内毒性検定作業を容易に行うことが出来る。
【図面の簡単な説明】
【００１４】
【図１】本発明であるダニ駆除剤試験装置の斜視図である。
【図２】本発明であるダニ駆除剤試験装置の分解図である。
【図３】本発明であるダニ駆除剤試験装置を使用した状態の断面図である。
【図４】本発明であるダニ駆除剤試験装置の給餌管のＡ−Ａ線断面図である。
【図５】本発明であるダニ駆除剤試験装置で使用するダニ駆除部材の斜視図である。
【図６】本発明であるダニ駆除剤試験装置を巣箱内に設置した状態を示した図である。
【図７】本発明であるダニ駆除剤試験装置で使用するダニ駆除部材の作成方法を示した流れ図である。
【発明を実施するための形態】
【００１５】
廃棄し易く、ミツバチの攻撃性を刺激せず、揮発物が一時に集中せず、卵や幼虫に影響を及ぼすことなく、接触するだけで殺ダニ効果があるダニ駆除剤を木片に蜜蝋とパラフィンの混合物を染み込ませて表面にダニ駆除剤を塗布することで実現し、その実験及び検証を給餌管を備えたダニ駆除剤試験装置によって実現した。
【実施例１】
【００１６】
次に図１から図６を使用して本発明であるダニ駆除剤試験装置を詳細に説明することとする。図１は本発明であるダニ駆除剤試験装置の斜視図、図２はダニ駆除剤試験装置の分解図、図３はダニ駆除剤試験装置を使用した状態の断面図、図４はダニ駆除剤試験装置の給餌管のＡ−Ａ線断面図、図５はダニ駆除剤試験装置で使用するダニ駆除部材の斜視図、図６はダニ駆除剤試験装置を巣箱内に設置した状態を示した図である。
【００１７】
図１及び図２に示すように、本発明であるダニ駆除剤試験装置１は、上面が開口して蓋２ａを備え前後左右底面が網２ｃとなっている略直方体状の飼育カゴ２と、上端に拡張部３ａを形成し下端に給餌孔３ｂを備え前記蓋２ａに穿設された挿通孔２ｂに挿通される給餌管３と、前記飼育カゴ２を載置するためのトレー４と、平板状の木片５ｄで、試されるダニ駆除剤が塗布され前記飼育カゴ２内に吊るされるダニ駆除部材５とからなる。前記ダニ駆除部材５は、前記飼育カゴ２にヒモ５ｂに備えられた留め具５ａで係止される。なお、ここでは飼育カゴ２は、略直方体として示したが、トレー４に載置するため底部が平坦であればよく、全体として円柱状であってもよく、さらに上面は平坦である必要はない。トレー４を設けることで、ダニ駆除剤により死滅し落下したダニを捕集でき、簡易にダニ駆除剤の有効性の有無を確認することができる。
【００１８】
図３に示すように、トレー４の中に飼育カゴ２を設置し、更にダニ駆除部材５に取り付けた留め具５ａを飼育カゴ２の上面縁に掛けた状態で飼育カゴ２内にダニ駆除部材５を吊り下げて蓋２ａで固定し、複数匹のミツバチ６、６、６・・・を飼育カゴ２内に入れて蓋２ａの挿通孔２ｂに給餌管３を挿通して本発明であるダニ駆除剤試験装置１を設置する。
【００１９】
このとき、給餌管３内には液状の餌３ｃが注入されており、ミツバチ６は給餌管３の下端に設けた給餌孔３ｂから餌３ｃを得ることが出来る。
【００２０】
図２及び図３に示すように、前記飼育カゴ２は縦長の直方体状をしており前後左右面及び底面は網２ｃ面であり、上面のみが開口している。前記飼育カゴ２の開口した上面は蓋２ａを取り付けられており、この蓋２ａの中央には給餌管３を取り付けるための挿通孔２ｂが穿設されている。また、蓋２ａも網であってもよく、或いは底部のみ網とし、側面上面は、孔を穿孔するなどして、通気性を確保するだけでもよい。なお、蓋２ａが網であれば、その格子の孔に給餌管３を係止すればよい。
【００２１】
図３及び図４に示すように、前記給餌管３は内部が中空の管であり、下端のみが開口して給餌孔３ｂを形成している。また、給餌管３は中部から下端に向かうにつれて径が小さくなり、前記給餌孔３ｂが側面を向く程度に下端部分が大きく湾曲した略Ｊ字型をしている。
【００２２】
前記給餌管３の上端に形成した拡張部３ａは、蓋２ａの挿通孔２ｂよりも径が大きく、給餌管３を蓋２ａに取り付ける際にストッパーの役目をし、図４に示すように給餌管３が飼育カゴ２内の中央に吊り下げられた状態を維持することができる。
【００２３】
このように、特別な装置を必要とせずに給餌管３を飼育カゴ２内に設置することができ、施薬後に落下したダニの調査を容易に行うことができ、更に薬物コンタミネーションの危険性が少ない。
【００２４】
即ち、直管型の給餌器や下置きの給餌器では、ミツバチが餌を食べる際にミツバチの胸部を餌に接触させてしまうため、ミツバチの胸部から餌に毒性が移行してしまい薬物コンタミが発生する可能性が大きかったが、本発明のように略Ｊ字型の給餌管３では、１匹毎に給餌孔を跨いで餌を得るためミツバチの胸部が餌に接触することが無く餌に毒性が移行する危険性がすくない。
【００２５】
以上のように、給餌管３を略Ｊ字型にすることで、取扱が容易で省力的に実験調査を行うことができ、更に薬物コンタミネーションの心配もない。
【００２６】
図２及び図５に示すように、前記ダニ駆除部材５は平板状の木片５ｄからなり、表面に試験されるダニ駆除剤５ｅが塗布されている。また、木片５ｄには孔５ｃが穿設されており、ヒモ５ｂを介して留め具５ａを取り付けることが出来る。ダニ駆除部材５としては、木片に限らず、（１）攻撃により針を失ったミツバチは死亡するためミツバチの攻撃性を刺激しないものであること、（２）巣箱内が３５度と高温であるため駆除薬剤の揮発物が一時に多く発生し充満しないこと、（３）前記駆除薬剤の揮発物が卵や幼虫に影響を及ぼさないこと、（４）薬剤との接触により殺ダニ効果があること、の条件を満たす部材であれば、種々の木質性の素材が採用できる。
【００２７】
図６に示すように、本発明であるダニ駆除剤試験装置１をトレー４上に載置した状態で小型の巣箱７内に４つ程設置し、ダニ駆除部材５に塗布したダニ駆除剤５ｅがミツバチヘギイタダニを駆除する効果があるかどうかを実験する。
【００２８】
次に図７を使用して、ダニ駆除部材５の作成方法を説明することとする。図７は本発明であるダニ駆除剤試験装置で使用するダニ駆除部材の作成方法を示した流れ図である。
【００２９】
図７に示すように、「ダニ駆除部材の作成方法８」には、まず「木質材の選定８ａ」をする。ダニ駆除部材５で使用する木質材としては木材のケヤキが好ましいが、特に限定したものではない。木質材として木材を選定した場合には、木材を小片（木片５ｄ）（１．５ｃｍ×５ｃｍ程度）として、端部付近に孔５ｃを穿設する。
【００３０】
次に前記木片５ｄを使用して「木片を加熱した混合物に入れ処理８ｂ」を行う。この混合物は蜜蝋とパラフィンを１：１の割合で混合したもので、木片５ｄに染み渡らせる。
【００３１】
次に「木片に混合物を染み込ませる８ｃ」行程で木片５ｄに前記蜜蝋とパラフィンからなる混合物を染み込ませ、続いて「表面処理８ｄ」の行程で木片５ｄ表面の余分な混合物を熱した鉄板を押し当てながら薄く延ばすことにより取り除く。
【００３２】
次に「木片をダニ駆除剤（溶液）に浸漬８ｅ」を行う。この行程はミツバチヘギイタダニ駆除に効果があると思われるダニ駆除剤を前記木片５ｄの表面に塗りつける行程である。混合物を染み込ませた木片５ｄの表面を駆除剤溶液で覆うことで木材内部からの揮発物の発生を抑制することができる。
【００３３】
最後に「木片を風乾８ｆ」を行う。以上のように混合液を染み込ませ表面にダニ駆除剤５ｅを塗った木片５ｄを乾かして製剤化し、ダニ駆除部材が完成する。
【００３４】
上記行程で作成したダニ駆除部材５を、図６に示すようにダニ駆除剤試験装置１内に取付けて「木片を巣箱内に設置８ｇ」する。木片５ｄの表面に塗りつけたダニ駆除剤がミツバチヘギイタダニの駆除の有効であれば、ミツバチが「木片に接触することによりダニが死滅８ｈ」する。
【００３５】
上記の行程で作成したダニ駆除部材５を備えたダニ駆除剤試験装置１を使用することでミツバチを刺激することなく、またミツバチの卵や幼虫に影響を及ぼすことなく新たなダニ駆除剤候補の殺ダニ効果を実験することができる。
【００３６】
次に前記ダニ駆除剤試験装置１を使用したダニ駆除剤の試験方法を説明することとする。
【００３７】
まず、本発明であるダニ駆除剤試験装置１内にミツバチヘギイタダニが寄生したミツバチ２５頭を入れ、ダニ駆除部材５を設置し、更に餌３ｃの入った給餌管３を設置する。尚、ダニ駆除剤試験装置１は４つ使用し、合計１００頭のミツバチで試験を行った。また、ダニ駆除剤として、クミアイ化学工業（株）製の植物寄生害虫駆除用のマブリックＥＷ（登録商標）を水で１０倍希釈して使用した。マブリックＥＷ（登録商標）は、フレバリネート（１９重量％）を駆除成分とする乳液である。
【００３８】
上記の状態で摂氏２５度の室内においてミツバチを飼育し、２４時間後のミツバチとミツバチヘギイタダニの生存数及び死亡数を測定した。
【００３９】
その結果、ミツバチヘギイタダニは全死し、ミツバチについては全てが生存していた。
【００４０】
また、ミツバチ巣箱においても、前記ダニ駆除部材をダニ駆除に使用することができる。巣箱の下部を金網とし、その下部に落下ダニ捕集用の箱を設ける。その補修用箱上にワセリンを塗布した紙を敷き、その紙上に前記ダニ駆除部材５を設置した。その結果、捕集用箱内にダニの落下が確認できた。従って、１〜２万頭のミツバチが生存する巣箱においてもダニ駆除部材５は有効である。本試験では、無数のミツバチヘギイタダニの死骸を確認すると共に、全ミツバチが生存していることが確認できた。
【産業上の利用可能性】
【００４１】
以上のように、本発明にかかるダニ駆除剤試験装置及び駆除部材は、従来よりも少ないダニ駆除剤量でミツバチの攻撃性を和らげた状態のままダニ駆除剤の有効性試験を行うことができ、また駆除部材は土中で腐敗して土になるため容易に廃棄することができるため、ミツバチに寄生するダニの駆除や新たなダニ駆除剤の実験及び検証に適している。
【符号の説明】
【００４２】
１      ダニ駆除剤試験装置
２      飼育カゴ
２ａ    蓋
２ｂ    挿通孔
２ｃ    網
３      給餌管
３ａ    拡張部
３ｂ    給餌孔
３ｃ    餌
４      トレー
５      ダニ駆除部材
５ａ    留め具
５ｂ    ヒモ
５ｃ    孔
５ｄ    木片
５ｅ    ダニ駆除剤
６      ミツバチ
７      巣箱
８      ダニ駆除部材の作成方法
８ａ    木質材の選定
８ｂ    木片を加熱した混合物に入れ処理
８ｃ    木片に混合物を染み込ませる
８ｄ    表面処理
８ｅ    木片をダニ駆除剤溶液に浸漬
８ｆ    木片を風乾
８ｇ    木片を巣箱内に設置
８ｈ    木片に接触することによりダニが死滅
【図１】
2012024097.tif 000003
【図２】
2012024097.tif 000004
【図３】
2012024097.tif 000005
【図４】
2012024097.tif 000006
【図５】
2012024097.tif 000007
【図６】
2012024097.tif 000008
【図７】
2012024097.tif 000009